(57)【特許請求の範囲】
【請求項１】
並設される梯子と、
梯子を平行に適宜間隔を置いて並べて少なくとも上下の位置で互いに連結固定する梯子連結部材と、
前記並設される梯子の上端部で連結されると共に、建物の屋上のパラペットに係止される梯子支持部材と、
前記梯子連結部材と前記梯子支持部材とに、建物の斜壁に沿って横方向に移動可能にすべく設けられたキャスターとからなること、
を特徴とする斜壁用簡易梯子。
【請求項２】
梯子支持部材と該梯子支持部材と対向した位置にある建物のパラペットとを連結して、梯子の落下を防止するために設けられたワイヤーロープとからなること、
を特徴とする請求項１に記載の斜壁用簡易梯子。
【請求項３】
並設される梯子の下端部に立設され、梯子からの落下を防止する落下防止手段とからなること、
を特徴とする請求項１または２に記載の斜壁用簡易梯子。
【請求項４】
並設される梯子の下部であって斜壁の無い部分の下側空間に設けられ、落下を防止する養生ネットとからなること、
を特徴とする請求項１乃至３のいずれか１項に記載の斜壁用簡易梯子。
【請求項５】
並設された梯子と梯子支持部材との連結部分において、当該梯子が前記梯子支持部材に対して斜壁に沿って回転可能にすべく設けられた回転手段とからなること、
を特徴とする請求項１乃至４のいずれか１項に記載の斜壁用簡易梯子。
【請求項６】
梯子支持部材から立設され、梯子に対して移動する作業員が手で掴むことで該作業員の支えとなる支持棒とからなること、
を特徴とする請求項１乃至５のいずれか１項に記載の斜壁用簡易梯子。
【請求項７】
並設される梯子の側面に配設される電源用線とコンセントとから構成される電源供給手段とからなること、
を特徴とする請求項１乃至６のいずれか１項に記載の斜壁用簡易梯子。
【請求項８】
並設される梯子の下部側の梯子連結部材に取り付けられるキャスターは、支持軸周りに回転自在であり、梯子支持部材に取り付けられるキャスターは、支持軸周りに回転しないように固定されていること、
を特徴とする請求項１乃至７のいずれか１項に記載の斜壁用簡易梯子。
【発明の詳細な説明】
【技術分野】
【０００１】
本発明は、建物の壁を補修する際に、壁が斜めになっていて、その建物の周囲にわざわざ足場を組む程の補修範囲でも無い場合に、簡易に斜壁に設置して足場として使用できる斜壁用簡易梯子に関するものである。
【背景技術】
【０００２】
従来、建物の最上階に斜壁の躯体があるような既存建物の壁面の補修工事等は、前記斜壁部分まで下から足場を架設するのが一般的である。また、足場として梯子を使用したものに関する先行技術文献は、下記の特許文献１を参照のこと。
【先行技術文献】
【特許文献】
【０００３】
【特許文献１】特開２００８−１０５４５８号公報
【発明の概要】
【発明が解決しようとする課題】
【０００４】
しかし、前記壁面の斜め部分まで高さがある建物の場合に、その建物の周囲に足場を組立したのでは、該足場の資材費や組立工事費等にコストが嵩むことになる。他に、屋上から長柄ローラー等を使用すれば、表面塗装程度はできるが、補修工事としては不十分である。また、場合によっては、斜め壁上部から猿回しの要領で人が降りながら補修することもあるが、かなり危険な高所作業となって、作業用道具や材料等の落下のおそれもある。
本発明に係る斜壁用簡易梯子は、このような課題を解決するために提案されたものである。
【課題を解決するための手段】
【０００５】
本発明に係る斜壁用簡易梯子の上記課題を解決して目的を達成するための要旨は、並設される梯子と、梯子を平行に適宜間隔を置いて並べて少なくとも上下の位置で互いに連結固定する梯子連結部材と、前記並設される梯子の上端部で連結されると共に、建物の屋上のパラペットに係止される梯子支持部材と、前記梯子連結部材と前記梯子支持部材とに、建物の斜壁に沿って横方向に移動可能にすべく設けられたキャスターとからなるものである。
【０００６】
前記梯子支持部材と該梯子支持部材と対向した位置にある建物のパラペットとを連結して、梯子の落下を防止するために設けられたワイヤーロープとからなることである。
【０００７】
また、前記並設される梯子の下端部に立設され、梯子からの落下を防止する落下防止手段とからなることである。
【０００８】
前記並設される梯子の下部であって斜壁の無い部分の下側空間に設けられ、落下を防止する養生ネットとからなることである。
【０００９】
前記並設された梯子と梯子支持部材との連結部分において、当該梯子が前記梯子支持部材に対して斜壁に沿って回転可能にすべく設けられた回転手段とからなること、
【００１０】
前記梯子支持部材から立設され、梯子に対して移動する作業員が手で掴むことで該作業員の支えとなる支持棒とからなることである。
【００１１】
前記並設される梯子の側面に配設される電源用線とコンセントとから構成される電源供給手段とからなることである。
【００１２】
前記並設される梯子の下部側の梯子連結部材に取り付けられるキャスターは、支持軸周りに回転自在であり、梯子支持部材に取り付けられるキャスターは、支持軸周りに回転しないように固定されていることを含むものである。
【発明の効果】
【００１３】
本発明の斜壁用簡易梯子によれば、組立・解体が容易な足場となり、また、キャスター付きなので横移動が容易な足場となる。また、仮設足場の材料費及びその組立解体費用を大幅に低減することができる。
【００１４】
梯子支持部材に対する梯子の斜めの角度を調節できるようにしたので、角度の異なる斜壁にも柔軟に対応できるようになる。また、梯子の下部に、落下防止手段や養生ネットを設けることで、高所からの人や物の落下を防止できて、高所作業の安全性が向上する。
【００１５】
更に、梯子支持部材に支持棒を立設することで、梯子に対して出入りする作業員がこれに掴まることで、該作業員が安全に出入りできるようになり、作業員の不安が取り除かれて、高所作業の安全性が向上する。
【００１６】
梯子に電源供給手段を設けることで、電動工具・機器等を使用する際の利便性が向上する。更に、梯子の下部側のキャスターを回転自在にして、梯子支持部材側のキャスターを軸周りに回転しないで固定することで、梯子の横移動がスムーズに行われるものであるという優れた効果を奏するものである。
【図面の簡単な説明】
【００１７】
【図１】本発明に係る斜壁用簡易梯子の使用状態の側面図と平面図である。
【図２】同本発明の斜壁用簡易梯子の他の実施例に係る側面図と平面図である。
【図３−Ａ】同斜壁用簡易梯子の他の実施例における、梯子側の一部拡大斜視図である。
【図３−Ｂ】同斜壁用簡易梯子の他の実施例における、梯子支持部材側の一部拡大斜視図である。
【図３−Ｃ】同斜壁用簡易梯子の他の実施例における、梯子と梯子支持部材とを組立てた状態の一部拡大斜視図である。
【図４】同斜壁用簡易梯子の更に他の実施例に係る一部拡大斜視図である。
【図５】同斜壁用簡易梯子の、屋上の斜め上から見た使用状態斜視図である。
【図６】同斜壁用簡易梯子の上側一部斜視図である。
【発明を実施するための形態】
【００１８】
本発明に係る斜壁用簡易梯子１は、図１に示すように、建物の屋上のパラペットに引っ掛ける様にした梯子支持部材と、その梯子支持部材に連結され並設された連結梯子とからなるものである。
【実施例１】
【００１９】
前記斜壁用簡易梯子１は、図１に示すように、例えば市販のアルミニウム製で並設された梯子１ａ，１ｂと、該梯子１ａ，１ｂを平行に適宜間隔を置いて並べて、少なくとも上下の位置で互いに連結固定する軽量鉄骨部材でなる梯子連結部材２ａ，２ｂと、前記並設された梯子１ａ，１ｂの上端部で連結されると共に、建物５の屋上のパラペット（胸壁）３に係止されるもので、軽量鉄骨部材でなる梯子支持部材４と、前記梯子連結部材２ａ，２ｂと前記梯子支持部材４とに、建物５の斜壁６に沿って横方向に移動可能にすべく設けられた転動自在なキャスター７，７ａとからなる。
【００２０】
図１において、前記並設される梯子１ａ，１ｂの下部側の梯子連結部材２ｂに取り付けられるキャスター７ａは、該キャスターの支持軸周りに回転自在であり、梯子支持部材４に取り付けられるキャスター７，７は、該キャスター７の支持軸周りに回転しないように固定されているものである。
【００２１】
また、図２に示すように、前記梯子支持部材４と、該梯子支持部材４と対向した位置にある建物のパラペット３ａとを連結して、梯子１ａ，１ｂの落下を防止するために設けられた例えば鋼線製のワイヤーロープ８が設けられている。
【００２２】
前記ワイヤーロープ８は、その一端部が梯子支持部材４の脚部４ａに巻き付けて繋着され、他端部がアンカー９を介してパラペット３ａに繋着されている。斜壁用簡易梯子１は、パラペット３に沿って移動するので、前記アンカー９の箇所も、適宜に、パラペット３ａに沿って複数箇所に設けられるものである。このワイヤーロープ８によって、斜壁用簡易梯子１による高所作業の安全性が、確実に保持される。
【実施例２】
【００２３】
更に、図２に示すように、他の安全性を確保する手段として、例えば、並設される梯子１ａ，１ｂの下端部に立設され、梯子１ａ，１ｂからの落下を防止する落下防止手段１０が設けられる。この落下防止手段１０は、例えば、鋼製の筐体でなる防護枠などである。
【００２４】
他の落下防止手段１１として、図２に示すように、並設される梯子１ａ，１ｂの下部であって斜壁６の無い部分の下側空間に設けられ、落下を防止する養生ネット１１を設けるものである。このような落下防止手段１０，１１により、高所から作業員や物が落下するのを防止できるものである。
【実施例３】
【００２５】
斜壁用簡易梯子１の他の実施例として、建物５の斜壁６の角度が異なる場合があることに対応できるように、図３−Ａ乃至図３−Ｃに示すように、並設された梯子１ａ，１ｂと梯子支持部材４との連結部分において、当該梯子１ａ，１ｂが前記梯子支持部材４に対して、斜壁６に沿って回転可能にすべく設けられた回転手段１２がある。
【００２６】
前記回転手段１２は、図３−Ａに示すように、例えば、梯子１ｂの側壁に金属製の回転板１２ａが、複数箇所の固定孔１２ｄに挿着するボルト・ナットにより固定される。該回転板１２ａには、回転案内溝１２ｂが円弧状で板に貫通して穿設されている。また、梯子支持部材４にボルトで固定するための貫通させた固定孔１２ｃが穿設されている。
【００２７】
図３−Ｂに示すように、梯子支持部材４側には、ボルトを挿通させるための、係止孔４ｂと角度の位置決めをするための位置決め孔４ｃとが穿設されている。前記回転板１２と梯子支持部材４とを、図３−Ｃに示すように、ボルト・ナット（図示せず）により、仮止めし位置決めした後、締結して位置固定するものである。前記回転案内溝１２ｂにより、斜壁６の梯子支持部材４に対する任意の角度θに合わせて、梯子１ａ，１ｂを設置できるものである。
【実施例４】
【００２８】
図４に示すように、梯子支持部材４から立設され、梯子１ａ，１ｂに対して移動する作業員が手で掴むことで、該作業員の姿勢の支えとなる金属製、プラスチック製、木製の支持棒１３が設けられている。該支持棒１３を手で掴んで作業員が梯子１ａ，１ｂに出入りすれば、作業員の体が安定して、作業員の移動中における安全性が確保されるものである。
【実施例５】
【００２９】
また、図４に示すように、並設される梯子１ａ，１ｂの側面に配設される、電源用線１４ａとコンセント１４ｂとから構成される電源供給手段１４がある。この電源供給手段１４により、梯子１ａ，１ｂ上で各種の電気工具・器具（ブロアー、ドリル、釘・鋲打ち機、塗布機など）を使用の際に、作業員の手元で直ちに電気的接続ができて、作業能率が向上するものである。
【００３０】
以上のように、図５乃至図６に示す本発明に係る斜壁用簡易梯子１を使用することで、任意の角度の斜壁６において、梯子１ａ，１ｂが簡易に組み立てられて足場を確保することができる。キャスター７，７ａによって、斜壁６の上を横移動する事が可能であり、連続して次の作業に取りかかることができる。
【００３１】
また、斜壁用簡易梯子１は、図６に示すように、市販のアルミニウム製梯子１ａ，１ｂを活用して、軽量鉄骨部材で梯子連結部材２ａ，２ｂ、梯子支持部材４を製作するので、建物５の屋上で短時間で容易に組み立てられる。更に、該斜壁用簡易梯子１を解体してコンパクトにまとめて収納し、屋上に置いておくことができる。
【産業上の利用可能性】
【００３２】
本発明に係る斜壁用簡易梯子１によれば、建物の屋上において簡易な足場が組み立てられ、斜壁に設置することができるので、多様な斜壁に適用することができる。
【符号の説明】
【００３３】
１          斜壁用簡易梯子、
１ａ，１ｂ  梯子、
２ａ，２ｂ  梯子連結部材、
３，３ａ    パラペット（胸壁）、
４          梯子支持部材、                  ４ａ        脚部、
４ｂ        係止孔、                        ４ｃ        位置決め孔、
５          建物、
６          斜壁、
７，７ａ    キャスター、
８          ワイヤーロープ、
９          アンカー、
１０        落下防止手段（筐体）、
１１        落下防止手段（養生ネット）、
１２        回転手段、                      １２ａ      回転板、
１２ｂ      回転案内溝、                    １２ｃ      係止孔、
１２ｄ      固定孔、
１３        支持棒、
１４        電源供給手段、
１４ａ      電源用線、                      １４ｂ      コンセント。
【図１】
0006388834.tif 000002
【図２】
0006388834.tif 000003
【図３−Ａ】
0006388834.tif 000004
【図３−Ｂ】
0006388834.tif 000005
【図３−Ｃ】
0006388834.tif 000006
【図４】
0006388834.tif 000007
【図５】
0006388834.tif 000008
【図６】
0006388834.tif 000009